(57)【要約】　　　（修正有）【課題】携帯通信装置を取り落とすというような不測の事態が発生した場合でも電池からの電源供給が一瞬たりとも遮断されることの起こらない電源供給瞬断防止構造を組み込んで構成された携帯通信装置を提供する。【解決手段】電池９の電極９ａ，９ｂと各別に接触しあう伸縮型弾性接続端子１２及び固定接続端子１３が電池収納室１０内に対向配置されると共に、この電池収納室１０を閉塞する収納室蓋１１とを備えている。そして、この収納室蓋１１の内面側には電池移動防止ベース部材１５が配設されており、この電池移動防止ベース部材１５は、弾性接続端子１２と接触しあう電池９の一方側電極９ａと弾性接続端子１２が配設された電池収納室１０の内壁面との間に介装されたうえで電池収納室１０内の電池９がその長手方向に沿って移動するのを防止している。【選択図】　図１
2004063092.tif 000002
【特許請求の範囲】
【請求項１】
装置本体内に形成された電池収納室と、この電池収納室を閉塞する収納室蓋とを備えており、電池収納室内には、収納される電池の電極それぞれと各別に接触しあう弾性接続端子及び固定接続端子が電池の長手方向に沿って対向配置されてなる携帯通信装置であって、
収納室蓋の内面側には電池移動防止ベース部材が配設されており、この電池移動防止ベース部材には、収納室蓋が電池収納室を閉塞した状態下で弾性接続端子に当接する電池の一方側電極と弾性接続端子が配設された電池収納室の内壁面との間に介装されたうえで電池収納室内に収納された電池がその長手方向に沿って移動するのを防止する電池移動防止体が取着されていることを特徴とする携帯通信装置。
【請求項２】
電池移動防止ベース部材は、電池の長手方向に沿ってスライド可能として収納室蓋に配設されていることを特徴とする請求項１に記載した携帯通信装置。
【請求項３】
電池収納室内には２本の電池が極性を逆向きとして収納される一方、収納室蓋の内面側には２つの電池移動防止ベース部材が並列に配設されており、これら電池移動防止ベース部材のそれぞれに取着された電池移動防止体は、弾性接続端子に当接する各電池の一方側電極と弾性接続端子が配設された電池収納室の内壁面それぞれとの間に逆向きとして介装されていることを特徴とする請求項１に記載した携帯通信装置。
【請求項４】
２つの電池移動防止ベース部材は一体化されており、かつ、電池の長手方向に沿ってスライド可能としたうえで収納室蓋に配設されていることを特徴とする請求項３に記載の携帯通信装置。
【請求項５】
電池移動防止ベース部材の内面側には、電池収納室内に収納された電池の側面部分と当接しあうクッション体が貼着されていることを特徴とする請求項１〜請求項４のいずれかに記載の携帯通信装置。
【発明の詳細な説明】
【０００１】
【発明の属する技術分野】
本発明は携帯通信装置に係り、詳しくは、緊急時連絡用などとして使用される携帯通信装置の電源供給瞬断防止構造に関する。
【０００２】
【従来の技術】
従来の形態に係る携帯通信装置の全体構造を、図５で示す説明図に基づいて説明する。なお、図５（ａ）は携帯通信装置の外観正面図、図５（ｂ）はその外観背面図であり、図５（ｃ）は収納室蓋を外した状態を示す携帯通信装置の外観背面図である。
【０００３】
この携帯通信装置は各種の必要部品が内蔵された装置本体１を備えており、この装置本体１の正面側には、図５（ａ）で示すように、スピーカ発音孔２が開口されると共に、動作状態を表示するためのＬＥＤ３が配設されている。そして、装置本体１の正面側にはマイク集音孔４も開口されており、この携帯通信装置は無線アンテナ５を介しての通報や会話が可能なものとなっている。
【０００４】
また、装置本体１の正面側に配設された前面蓋６を手前側へと回動して拡げると、装置本体１に配設された緊急通報用のコールボタン７や、無線通信回線がつながるか否かを自主テストするためのテストボタン８が現れることになり、これらのボタン７，８は必要に応じて操作される。
【０００５】
一方、装置本体１の背面側には、図５（ｂ）で示すように、電源となる電池９を収納する電池収納室１０が装置本体１内を穿った状態で形成されており、この電池収納室１０は収納室蓋１１によって覆われたうえで閉塞されている。なお、この際における電池９としては、市販品である乾電池が利用される。
【０００６】
さらに、図５（ｃ）で示すように、収納室蓋１１でもって閉塞される電池収納室１０内には、収納される電池９の電極９ａ，９ｂそれぞれと各別に接触する弾性接続端子１２及び固定接続端子１３が電池９の長手方向Ｌに沿う状態となったうえで対向配置されている。なお、この電池収納室１０内には、２本の電池９が各々の極性を逆向きとした並列状態で収納される。
【０００７】
そのため、この際における電池収納室１０では、各電池９の一方側電極９ａ、つまり、マイナス（−）電極と接触しあう弾性接続端子１２と、各電池９の他方側電極９ｂ、つまり、プラス（＋）電極と接触しあう固定接続端子１３との各々も、電池９の長手方向に沿って逆向きとなる構成とされたうえで電池収納室１０の内壁面毎に配設されている。なお、弾性接続端子１２は、線状金属部材をコイルバネ形状に成形して作製されたものである。
【０００８】
すなわち、このような構成とされた携帯通信装置においては、電池収納室１０内に左右一対として収納された電池９それぞれのマイナス電極である一方側電極９ａが伸縮型弾性接続端子１２と接触し、かつ、そのプラス電極である他方側電極９ｂが固定接続端子１３と接触することにより、電源供給される。
【０００９】
【発明が解決しようとする課題】
前記従来の形態に係る携帯通信装置では、電源となる各電池９の電極９ａ，９ｂそれぞれと接触する弾性接続端子１２及び固定接続端子１３の各々が電池収納室１０内の対向しあう内壁面毎に配設されている。そして、ここでの弾性接続端子１２は、伸縮可能なコイルバネ形状とされたうえで電池９のマイナス電極、つまり、平面的な一方側電極９ａと接触し、この一方側電極９ａを押圧することによって他方側電極９ｂである突起形状のプラス電極を固定接続端子１３に密着させることになっている。
【００１０】
このような構成であるため、使用者が誤って携帯通信装置を取り落とした場合などには、落下時の衝撃によって電池９の各々がその長手方向に沿って移動し、かつ、弾性接続端子１２が収縮することになり、電池９の他方側電極９ｂが固定接続端子１３から瞬間的に離間する結果、電源供給が瞬断されてしまう。そして、電源供給の瞬断が発生すると、携帯通信装置の無線通信動作が中断されたり、携帯通信装置に内蔵されたマイクロコンピュータが初期化されたりすることになる。
【００１１】
ところが、老齢者や肢体不自由者や心臓発作を起こしやすい人などの安全を確保するための緊急時連絡用などとして使用される携帯通信装置では、通報センターなどと通信している最中に一瞬でも携帯通信装置の電源供給が遮断されると、使用者の生命に関わるような重大な事態に立ち至ることにもなりかねない。すなわち、このような携帯通信装置の使用者は、基本的には心身に異常を起こしやすい人々でもあるので、操作中に体調が急変して携帯通信装置を取り落としてしまうことも十分あり得るのが実状である。
【００１２】
本発明はこのような不都合に鑑みて創案されたものであって、携帯通信装置を取り落とすというような不測の事態が発生した場合でも電池からの電源供給が一瞬たりとも遮断されることが起こらない電源供給瞬断防止構造を組み込んで構成された携帯通信装置の提供を目的としている。
【００１３】
【課題を解決するための手段】
請求項１記載の発明に係る携帯通信装置は、装置本体内に形成された電池収納室と、この電池収納室を閉塞する収納室蓋とを備えており、電池収納室内には、収納される電池の電極それぞれと各別に接触しあう弾性接続端子及び固定接続端子が電池の長手方向に沿って対向配置されてなるものである。そして、収納室蓋の内面側には電池移動防止ベース部材が配設されており、この電池移動防止ベース部材には、収納室蓋が電池収納室を閉塞した状態下で弾性接続端子に当接する電池の一方側電極と弾性接続端子が配設された電池収納室の内壁面との間に介装されたうえで電池収納室内の電池がその長手方向に沿って移動するのを防止する電池移動防止体が取着されていることを特徴とする。
【００１４】
請求項２記載の発明に係る携帯通信装置は請求項１に記載したものであり、電池移動防止ベース部材は、電池の長手方向に沿ってスライド可能として収納室蓋に配設されていることを特徴とする。
【００１５】
請求項３記載の発明に係る携帯通信装置は請求項１に記載したものであって、電池収納室内には２本の電池が極性を逆向きとして収納される一方、収納室蓋の内面側には２つの電池移動防止ベース部材が並列に配設されており、これら電池移動防止ベース部材のそれぞれに取着された電池移動防止体は、弾性接続端子に当接する各電池の一方側電極と弾性接続端子が配設された電池収納室の内壁面それぞれとの間に逆向きとして介装されていることを特徴とする。
【００１６】
請求項４記載の発明に係る携帯通信装置は請求項３に記載したものであって、２つの電池移動防止ベース部材は一体化されており、電池の長手方向に沿ってスライド可能としたうえで収納室蓋に配設されていることを特徴とする。
【００１７】
請求項５記載の発明に係る携帯通信装置は請求項１〜請求項４のいずれかに記載したものであり、電池移動防止ベース部材の内面側には、電池収納室内に収納された電池の側面部分と当接しあうクッション体が貼着されていることを特徴とする。
【００１８】
【発明の実施の形態】
図１は本実施の形態に係る携帯通信装置の要部構造を示す説明図、図２はその装置本体の要部構造を示す説明図、図３はその収納室蓋の要部構造を示す斜視図であり、図４はその収納室蓋の要部構造を示す説明図である。本実施の形態に係る携帯通信装置の装置本体の全体構造は従来の形態に係る携帯通信装置と基本的に異ならないので、その全体構造については図５を参照しながら説明することとし、ここでの詳しい説明は省略する。なお、図１〜図４において、図５と互いに同一となる部品、部分については同一符号を付している。
【００１９】
本実施の形態に係る携帯通信装置は、従来同様、無線通信機能を有し、かつ、緊急時連絡用などとして使用されるものであり、無線アンテナ５が立設された装置本体１の正面側には、図５（ａ）で示したように、スピーカ発音孔２及びマイク集音孔４が開口されると共に、動作状態を表示するためのＬＥＤ３が配設されている。そして、装置本体１の正面側には前面蓋６が回動可能として配設されており、この前面蓋６の裏面側には、緊急通報用のコールボタン７や自主テスト用のテストボタン８が配設されている。
【００２０】
また、装置本体１の背面側には、図１（ａ）及び図２で示すように、電源となる市販品の乾電池である２本の電池９を収納する電池収納室１０が装置本体１内を穿つようにして形成されており、この電池収納室１０の開放面は収納室蓋１１によって覆われたうえで閉塞される構成となっている。すなわち、携帯通信装置は、装置本体１内に形成された電池収納室１０と、この電池収納室１０を閉塞する収納室蓋１１とを備えている。
【００２１】
そして、図１（ｂ），（ｃ）で示すように、電池９の長手方向Ｌに沿ってスライド動作させられた収納室蓋１１の係止爪１１ａが装置本体１の電池収納室１０近くに形成された係止孔１ａと係合しあうのに伴って収納室蓋１１は装置本体１に装着される構成となっている。
【００２２】
さらに、電池収納室１０内には、電源となる左右一対の電池９、つまり、一般的には市販の乾電池である電池９が、各々の極性を逆向きとした並列状態で収納されることになっている。また、この電池収納室１０内には、収納される各電池９の電極９ａ，９ｂそれぞれと各別に接触しあう一対ずつの弾性接続端子１２及び固定接続端子１３が電池９それぞれの長手方向Ｌに沿った状態で対向配置されている。
【００２３】
すなわち、この際、各電池９の一方側電極９ａ、つまり、平面的なマイナス電極と接触しあうコイルバネ形状を有する弾性接続端子１２と、各電池９の他方側電極９ｂ、つまり、突起形状を有するプラス電極と接触しあう固定接続端子１３との各々が、並列状態として収納された各電池９の長手方向Ｌに沿って逆向きとなる構成で電池収納室１０の内壁面毎に配設されている。そのため、本実施の形態に係る携帯通信装置では、電池収納室１０内に収納された各電池９の一方側電極９ａが弾性接続端子１２に当接し、これらの他方側電極９ｂそれぞれが固定接続端子１３に当接することによって電源供給される。
【００２４】
一方、ＡＢＳ樹脂などからなる収納室蓋１１の内面側には、図１（ａ）及び図３、図４（ａ），（ｂ）で示すように、略板状の電池移動防止ベース部材１５が電池９の長手方向Ｌに沿ってスライド可能として配設されている。すなわち、収納室蓋１１の内面上における略中央位置には電池収納室１０側へと向かって突出した突起部（図示省略）が形成され、かつ、電池移動防止ベース部材１５の略中央位置には電池９の長手方向Ｌに沿って開口した長孔１５ａが形成されており、この長孔１５ａを挿通した突起部に後付けで着脱可能として取着された係止片１６によって電池移動防止ベース部材１５は着脱可能として支持されている。
【００２５】
そして、この電池移動防止ベース部材１５における両側の端部、つまり、電池９の長手方向Ｌに沿った端部それぞれには長手方向Ｌにスライド可能な揺動片１５ｂが切り込みによって形成されており、これら揺動片１５ｂのそれぞれには、収納室蓋１１の内面上に所定の間隔をあけて形成された突起部１１ｂのそれぞれと互いに係合しあう位置決め用の突起部１５ｃが形成されている。つまり、この際における揺動片１５ｂのそれぞれは電池９の長手方向Ｌに沿って多少強い外力が加えられるのに伴って弾性変形し、突起部１１ｂ，１５ｃの係合状態を解除することによって電池移動防止ベース部材１５の移動量を段階的に規制するものとなっている。
【００２６】
また、電池移動防止ベース部材１５の内面側には電池収納室１０内に収納された電池９のそれぞれと対応する２つの電池移動防止体１７、つまり、平面視が略Ｕ字形状とされた電池移動防止体１７の各々が配設されており、これら電池移動防止体１７の各々は電池９の長手方向Ｌに沿って逆向きとなる電池移動防止ベース部材１５の端部位置毎に配置されている。そして、このとき、各電池移動防止体１７は、電池移動防止ベース部材１５の内面から電池収納室１０内へと向かって略垂直に突出させられたうえ、電池収納室１０に配設済みの弾性接続端子１２と接触しあう各電池９の一方側電極９ａと、これら弾性接続端子１２の各々が配設された電池収納室１０の内壁面それぞれとの間に介装される構成となっている。
【００２７】
これらの電池移動防止体１７は、収納室蓋１１によって電池収納室１０を閉塞した状態下で弾性接続端子１２と接触しあう電池９の一方側電極９ａと、弾性接続端子１２が配設された電池収納室１０の内壁面との間に介装されることにより、この電池収納室１０内に収納された左右一対の電池９それぞれがその長手方向Ｌに沿って移動するのを防止するものとなる。なお、この際における各電池移動防止体１７の板厚が各電池９の一方側電極９ａと電池収納室１０の内壁面との間隙を埋める程の厚さを有している必要はなく、図示したようにこれら両者間の間隙と合致する厚みを確保するための突起部１７ａが先端位置に形成されただけのものであってもよい。
【００２８】
さらに、電池移動防止ベース部材１５の内面上には、電池収納室１０内に収納された左右一対の電池９それぞれの側面部分と当接し、これらの電池９を支持するスポンジ製などのクッション体１８が左右一対として接着剤などを用いたうえで貼着されている。すなわち、本実施の形態に係る電池移動防止ベース部材１５では、この電池移動防止ベース部材１５が収納室蓋１１の内面側において逆向きに配設され、電池移動防止体１７やクッション体１８のそれぞれが確実に電池９の各々と対応することになっている。
【００２９】
つぎに、本実施の形態に係る電池移動防止ベース部材１５を収納室蓋１１に配設し、この収納室蓋１１でもって電池収納室１０を閉塞する手順を説明する。まず、収納室蓋１１の内面上に形成された突起部を電池移動防止ベース部材１５の長孔１５ａから突出させたうえで係止片１６を取着することにより、電池移動防止ベース部材１５を収納室蓋１１の内面側にスライド可能として配設する。そして、図４（ａ）で示すように、電池移動防止ベース部材１５を収納室蓋１１の係止爪１１ａ側へと向かってスライドさせきった状態とする。
【００３０】
引き続き、図１（ａ）で示すように、電池収納室１０内に配設された弾性接触端子１２それぞれ付近に対し、電池移動防止体１７の各々を挿入して介装することを行う。すると、図１（ｂ）で示すように、電池収納室１０の一部が開口したままで収納室蓋１１が装置本体１の背面側に装着された状態となるので、この収納室蓋１１を電池９の長手方向Ｌに沿ってスライド動作させる。
【００３１】
すると、収納室蓋１１の係止爪１１ａが装置本体１の係止孔１ａと係合しあう結果、図１（ｃ）で示すように、電池収納室１０を閉塞した状態となったうえで収納室蓋１１は装置本体１に装着される。なお、この際における電池移動防止ベース部材１５及び電池移動防止体１７それぞれの状態は、外部からは視認し得ないものの、図４（ｂ）で示すようになっている。
【００３２】
ところで、携帯通信装置の収納室蓋１１に配設される電池移動防止ベース部材１５の構造が本実施の形態で説明したもののみに限定されることはなく、以下のような構造とされていてもよいことは勿論である。まず、本実施の形態では、電池移動防止ベース部材１５が電池収納室１０内に収納された電池９の双方と対応することになっており、この電池移動防止ベース部材１５には左右一対で２つの電池移動防止体１７が逆向きで取着されている。
【００３３】
しかしながら、この際の電池移動防止ベース部材１５が２つのもの、つまり、電池収納室１０内に収納された電池９のそれぞれと対応する２つの電池移動防止ベース部材１５であるとしたうえ、電池移動防止体１７のそれぞれを逆向きで各電池移動防止ベース部材１５に取着しておいてもよい。すなわち、収納室蓋１１の内面側に２つの電池移動防止ベース部材１５を電池９と同様の並列状態で配設しておき、各電池移動防止ベース部材１５に取着された電池移動防止体１７の各々を、弾性接続端子１２と接触する電池９の一方側電極９ａと、この弾性接続端子１２が配設された電池収納室１０の内壁面それぞれとの間に介装した構成とすることも可能である。
【００３４】
また、本実施の形態では、２本の電池９が電池収納室１０内に収納されるとしているが、この電池収納室１０が１本の電池９のみを収納する構造であってもよく、このような電池収納室１０を閉塞する収納室蓋１１である場合、収納室蓋１１の内面側に配設された電池移動防止ベース部材１５はただ１つの電池移動防止体１７が取着されたものであってよい。すなわち、この場合にあっては、収納室蓋１１の内面側に配設された電池移動防止ベース部材１５に、電池移動防止体１７が１つだけ取着されていることになる。
【００３５】
そして、この電池移動防止体１７は、弾性接続端子１２に当接する電池９の一方側電極９ａと伸縮型弾性接続端子１２が配設された電池収納室１０の内壁面との間に介装され、電池収納室１０内の電池９がその長手方向Ｌに沿って移動するのを防止するものとなる。なお、１つの電池移動防止体１７が取着された電池移動防止ベース部材１５であっても、電池９の長手方向Ｌに沿ってスライド可能な構成として収納室蓋１１に配設される。
【００３６】
さらに、本実施の形態においては、弾性接続端子１２がコイルバネ形状とされたものであるとしているが、このような形状を有するものに限定されず、例えば、板バネ形状などを有する弾性接続端子１２であってもよいことは勿論である。
【００３７】
なお、図２に示した１３は、板バネ形状に限らず、線状バネであってもかまわないものである。
【００３８】
【発明の効果】
請求項１記載の発明に係る携帯通信装置では、収納室蓋の内面側に電池移動防止ベース部材が配設されており、かつ、弾性接続端子に当接する電池の一方側電極と弾性接続端子が配設された電池収納室の内壁面との間に介装されて電池がその長手方向に沿って移動することを防止する電池移動防止体が電池移動防止ベース部材に取着されている。従って、使用者が誤って携帯通信装置を取り落とすというような不測の事態が発生した場合でも、落下時の衝撃によって電池が移動することは電池移動防止体でもって防止されることとなり、その結果として電源供給が瞬断されることは起こらないという効果が得られる。
【００３９】
請求項２記載の発明に係る携帯通信装置では、電池移動防止ベース部材が電池の長手方向に沿ってスライド可能とされているので、この電池移動防止ベース部材を収納室蓋の内面側に着脱しやすいという利点が確保される。そして、電池移動防止ベース部材を収納室蓋に着脱しやすいため、使用者が電池移動防止ベース部材を装着し忘れることがなくなり、電池移動防止体でもって電池の移動を防止することが確実に行えることとなる。
【００４０】
請求項３記載の発明に係る携帯通信装置では、２本の電池が極性を逆向きとして電池収納室内に収納される一方、２つの電池移動防止ベース部材が収納室蓋の内面側に並列して配設され、かつ、弾性接続端子に当接する各電池の一方側電極と弾性接続端子が配設された電池収納室の内壁面それぞれとの間に逆向きとして介装される電池移動防止体が電池移動防止ベース部材のそれぞれに取着されている。そのため、２本の電池を電源として使用するのが通常とされる携帯通信装置においては、より実用的な電源供給瞬断防止構造が組み込まれていることとなる。
【００４１】
請求項４記載の発明に係る携帯通信装置では、２つの電池移動防止ベース部材が一体化されており、かつ、電池の長手方向に沿ってスライド可能としたうえで収納室蓋に配設されているため、電池移動防止ベース部材を収納室蓋の内面側に着脱しやすくなり、より実用的な電源供給瞬断防止構造とすることができるという効果が得られる。
【００４２】
請求項５記載の発明に係る携帯通信装置では、電池収納室内に収納された電池の側面部分と当接しあうクッション体を電池移動防止ベース部材の内面側に貼着しているので、電池収納室内に収納された電池を有効に押圧しながら支持することが可能になるという利点が確保される。
【図面の簡単な説明】
【図１】本実施の形態に係る携帯通信装置の要部構造を示す説明図である。
【図２】本実施の形態に係る携帯通信装置の装置本体の要部構造を示す説明図である。
【図３】本実施の形態に係る携帯通信装置の収納室蓋の要部構造を示す斜視図である。
【図４】本実施の形態に係る携帯通信装置の収納室蓋の要部構造を示す説明図である。
【図５】従来の形態に係る携帯通信装置の全体構造を示す説明図である。
【符号の説明】
１　　装置本体
９　　電池
９ａ　一方側電極（マイナス電極）
９ｂ　他方側電極（プラス電極）
１０　　電池収納室
１１　　収納室蓋
１２　　弾性接続端子
１３　　固定接続端子
１５　　電池移動防止ベース部材
１７　　電池移動防止体
１８　　クッション体
Ｌ　　電池の長手方向
【図１】
2004063092.tif 000003
【図２】
2004063092.tif 000004
【図３】
2004063092.tif 000005
【図４】
2004063092.tif 000006
【図５】
2004063092.tif 000007